(57)【特許請求の範囲】
【請求項１】
パチンコ機の裏盤面において一機能部材を取り付け部材に固着するための、軸部材と軸穴部材とにより構成されるクランプ装置であって、
軸部材は、軸部の一端に半径方向に突出する突片を有し、他端に取り付け部材と係合する係止作用部が設けられた回転レバーを有し、
軸穴部材は一機能部材に付設されていて、その軸穴内面に前記突片の挿入溝を有しており、
軸部材の突片を前記挿入溝に挿入して、その突片を軸穴から突出させて回転レバーを回転させた時に、突片と回転レバーが前記一機能部材と取り付け部材を挟んで固着する構造であって、
さらに、軸部材は、軸穴部材に挿入された時に軸部材の前後の移動の拘束と回転位置の固定とを行うための突状部と、該突状部に弾力を付与するためのスリットを有し、
軸穴部材は、その軸穴内面に組み付け溝と位置固定溝とを有しており、
前記組み付け溝は、軸穴部材に挿入された軸部材が回転されて突状部が嵌め込まれたときに、軸部材の前後の移動を拘束して軸部材を軸穴部材に組み付けるためのものであり、
前記位置固定溝は、軸穴部材に組み付けられた軸部材が回転されて突状部が嵌め込まれたときに、軸部材の回転位置を固定して一機能部材が取り付け部材にクランプされた状態を固定するためのものであることを特徴とするパチンコ機のクランプ装置。
【発明の詳細な説明】
【０００１】
【発明の属する技術分野】
本発明は、パチンコ機の裏盤面に配設される玉タンク、セット板、遊技盤支持枠等の機能部材を一体に固着するパチンコ機のクランプ装置に関する。
【０００２】
【従来の技術】
パチンコ機の裏面上部には、賞玉および貸玉を遊技者に供給するための装置として箱型の玉タンク、玉整列レール装置および玉計数装置などが、セット板上の所定の位置に配置されている。このような機能部材を有するセット板の組み立てにおいて、従来は、例えば玉タンクはその両側面に設けられた取付け用ピースをビスなどで、取り付け部材にねじ込んで取り付けられていた。したがって、部品点数も多く、取り付けには時間を要していた。また使用済みパチンコ機を更新する場合においても、有用部品のリサイクルあるいは不要部品の分別廃棄処分のため、各部品を取り外し解体する必要があるが、従来のビス締結により取り付けされたパチンコ機においては、その解体作業も工数のかかる煩わしいものであった。
【０００３】
【発明が解決しようとする課題】
本発明は、パチンコ機の合理化の一環として、構成部品の節減、組み付け工数の削減、あるいはリサイクルのための解体工数の削減などを図るためになされたものであり、ビスによる機能部材の取り付けを廃止して、取り付け、解体のための工数を削減することが可能な機能部材のクランプ装置を提供することを課題とする。
【０００４】
【課題を解決するための手段】
上記の課題を解決するためになされた請求項１に記載の発明は、 パチンコ機の裏盤面において一機能部材を取り付け部材に固着するための、軸部材と軸穴部材とにより構成されるクランプ装置であって、
軸部材は、軸部の一端に半径方向に突出する突片を有し、他端に取り付け部材と係合する係止作用部が設けられた回転レバーを有し、
軸穴部材は一機能部材に付設されていて、その軸穴内面に前記突片の挿入溝を有しており、
軸部材の突片を前記挿入溝に挿入して、その突片を軸穴から突出させて回転レバーを回転させた時に、突片と回転レバーが前記一機能部材と取り付け部材を挟んで固着する構造であって、
さらに、軸部材は、軸穴部材に挿入された時に軸部材の前後の移動の拘束と回転位置の固定とを行うための突状部と、該突状部に弾力を付与するためのスリットを有し、
軸穴部材は、その軸穴内面に組み付け溝と位置固定溝とを有しており、
前記組み付け溝は、軸穴部材に挿入された軸部材が回転されて突状部が嵌め込まれたときに、軸部材の前後の移動を拘束して軸部材を軸穴部材に組み付けるためのものであり、
前記位置固定溝は、軸穴部材に組み付けられた軸部材が回転されて突状部が嵌め込まれたときに、軸部材の回転位置を固定して一機能部材が取り付け部材にクランプされた状態を固定するためのものであることを特徴とするものである。
【０００５】
【０００６】
【発明の実施の形態】
次に、本発明に係る玉タンクのクランプ装置の実施形態について、図１〜図６を参照しながら説明する。
本発明のクランプ装置は、図１に示す軸部材９と、図２に示す一機能部材６に付設された軸穴部材８により構成され、軸部材９と軸穴部材８とにより取り付け部材を挟むことにより、一機能部材６を取り付け部材７に固着する装置である。
【０００７】
上記した機能を果たすために、軸部材９には軸部１１の一方の先端に、係止作用が働いた時に部材を挟むための、半径方向に突き出た突片１０を有し、他端には軸を回転させるための回転レバー１４を有している。回転レバーの下部には回転座部１３と、係止作用部１５とが設けられていて、取り付け部材を前記一機能部材に接着した時にレバーの回転により、取り付け部材を挟んで固着する構造となっている。
【０００８】
一方、軸穴部材８は、上述したとおり固着しようとする一機能部材６に付設されていて、板面に垂直方向に設けられた軸穴１７の内面に軸部材の突片１０を挿入するための突片挿入溝１８を有している。
基本的には、上記した構成により、機能部材を取り付け部材にクランプすることが可能である。
【０００９】
本発明においては、上記した構成に加え補助的にさらに、軸部材９は、その中央付近にクランプした時の軸の回転位置を固定するための突状部１２を有し、軸部の中心には突状部１２に弾力を与えるためのスリット１６が切られている。
一方、軸穴部材８は、突状部１２を嵌め込ませて軸部材を組み付けるための組み付け溝１９と、その突状部をクランプ時に位置決めして、クランプの緩むのを防止する位置固定溝２０とを有している。
【００１０】
図３に軸部材９を軸穴部材８に組み付ける前の状態を示す。一機能部材６に付設された軸穴部材８に軸部材９の軸部１１を挿入して、軸部材９を軸穴部材８に嵌合しようとするものである。
【００１１】
軸部材９を軸穴部材８に組み付ける時は、図４に示すように、先ず軸部材の突片１０と突片挿入溝１８の位置を合わせて、軸部材９を軸穴部材８に挿入し、そして突片１０を軸穴１７を貫通して軸穴から突片１０を外に突出させる。この状態では単に軸穴部材８に軸部材９が挿入されただけの状態であって、突片１０の位置が突片挿入溝からずれていないために、軸部材が前後に移動可能であって、軸部材９は軸穴部材８に組み付けられた状態になっていない。
【００１２】
図５に示すように、図４の状態から回転レバーを９０°回して、突片１０の位置を突片挿入溝１８からずらすとともに、図１に示した突状部１２を組み付け溝１９に挿入することによって、軸部材９は前後の移動が拘束されて軸穴部材８に組み付けられた状態になる。
【００１３】
クランプ装置により一機能部材６を取り付け部材７にクランプするには、図５〜図６に示すように、軸部材が取り付けられたクランプ装置の回転レバー１４の下部に取り付け部材７をあてがう。そして回転レバー１４を回転させて、回転レバー１４の係止作用部１５を取り付け部材７に係合させることにより、取り付け部材７を一機能部材６と回転レバー１４の間に挟んで固着するのである。
回転レバーの回転により、図１に示した突状部１２が位置固定溝２０に嵌め込まれることによって、軸部材の回転位置が固定されてクランプ状態が固定される。ここでスリット１６は、突状部１２が溝から溝に回転移動するときに、突状部に弾力を与えて凹ませて軸を回転し易くするために機能するものである。
【００１４】
パチンコ機の廃棄、リサイクルなどで、組み付けた各機能部材を解体する必要が生じた場合には、回転レバー１４を回転させて、回転レバー１４と取り付け部材７の係合を解除して、図５の組み付け状態に戻すことにより、簡単にクランプを解除することができる。
【００１５】
次に、図７〜８に示すように、本発明のクランプ装置を用いてパチンコ機の裏盤面の玉タンクを遊技盤支持枠に取り付けた。
パチンコ機の裏面には、ほぼ中央上部に玉タンク１、その直下に玉整列レール装置２が配置され、玉送出部６の下方に玉誘導路装置３ならびに玉計数装置（図示していない）が配置されている。
ここで、玉タンク１は右側面に嵌合部材２３を有していて、これとセット板４側の嵌合部材が嵌合されて、玉タンク１はセット板４に片持ち梁構造で支持されている。
【００１６】
図において、玉タンク１の右側面の嵌合部材２３の上部には、クランプ装置の軸穴部材８が、玉タンク１、嵌合部材２３と樹脂により一体に成型されて付設されれている。また玉タンク１の左側面には、軸穴部材を設けるための付設部材２２が、その上部には、軸穴部材８が、玉タンク１と一体に成型されて付設されている。
そして軸穴部材８には、軸部材９の軸部が挿入され、玉タンク１の右側面のクランプ装置は、嵌合部材２３と、嵌合部材に嵌合されたセット板４と、遊技盤支持枠５の３部材を一体に固着し、また左側面のクランプ装置は、配設部材２２と、遊技盤支持枠５とを一体に固着することによって、玉タンク１を遊技盤支持枠５に堅固に取り付けているものである。
【００１７】
図９には、玉タンク１の右側面におけるクランプ状態を示す。軸穴部材８は嵌合部材２３の上部に一体に成形されて付設されている。嵌合部材２３はセット板４に嵌合しており、この嵌合部材２３とセット板４は遊技盤支持枠５に押しつけられた状態にある。そして軸穴部材８に嵌め込まれて、軸穴の一端からその突片を突出させている軸部材９の回転レバー１４が回転されて、遊技盤支持枠５は回転レバー１４の係止作用部によって係止され、結果として、嵌合部材２３、セット板４、遊技盤支持枠５の３部材は、クランプ装置により一体に固着されている。
【００１８】
図１０にはクランプ装置の他の実施形態を示す。セット板４は右側がヒンジ２４でヒンジ開閉し、左側は嵌合部材２３により玉タンク１と嵌合して一体になっている。その玉タンクの左側面においては、遊技盤支持枠５に垂直な方向に軸穴を有する軸穴部材８が付設されており、その軸穴部材８には軸部材９が挿入されている。そして遊技盤支持枠５には、軸穴部材８の延長に相当する位置に軸穴を有する突片受け２５が設けられている。
玉タンク１を遊技盤支持枠に固着するときは、玉タンク１をヒンジで閉じて遊技盤支持枠５に押しつけ、軸部材９の突片１０を突片受け２５の一端から突出させて、そして回転レバーを回転することによって、突片１０と回転レバーの間に軸穴部材８と突片受け２５が挟まれ、これによって遊技盤支持枠５と玉タンク１は堅固に固着される。
【００１９】
【発明の効果】
以上説明したように本発明によれば、まずパチンコ機の機能部材の取り付けにおいて、従来のようなビスの締め付けを行う必要がなくなり、部品点数の削減が可能になるほか、組み立て工数の削減も可能になる。
また軸部材を回転することにより、ワンタッチでクランプを解除することが可能であって、取り付けられた各機能部材の解体が簡単にでき、遊技盤の交換やセット板の分別回収が簡単に行なえるようになる。
したがって、本発明はパチンコ機の取り付け、解体に当たって工業上有益な効果をもたらす。
【図面の簡単な説明】
【図１】軸部材の平面図。
【図２】軸穴部材の正面図。
【図３】クランプ軸側部材挿入前の状態を示す斜視図。
【図４】クランプ軸側部材を挿入した状態を示す斜視図。
【図５】クランプ軸側部材を組み付けた状態を示す斜視図。
【図６】クランプ部材によるクランプ状態を示す斜視図。
【図７】本発明の実施形態を示す平面図。
【図８】図７の正面図。
【図９】クランプ部材の挟着状態を説明する側面図。
【図１０】本発明の実施形態を示す平面図。
【符号の説明】
１  玉タンク
２  玉整列レール装置
３  玉誘導路装置
４  セット板
５  遊技盤支持枠
６  一機能部材
７  取り付け部材
８  軸穴部材
９  軸部材
１０  突片
１１  軸部
１２  突状部
１３  回転座部
１４  回転レバー
１５  係止作用部
１６  スリット
１７  軸穴
１８  突片挿入溝
１９  組み付け溝
２０  位置固定溝
２１  玉タンク出口
２２  付設部材
２３  嵌合部材
２４  ヒンジ
２５  突片受け
【図１】
0003995180.tif 000002
【図２】
0003995180.tif 000003
【図３】
0003995180.tif 000004
【図４】
0003995180.tif 000005
【図５】
0003995180.tif 000006
【図６】
0003995180.tif 000007
【図７】
0003995180.tif 000008
【図８】
0003995180.tif 000009
【図９】
0003995180.tif 000010
【図１０】
0003995180.tif 000011